(57)【要約】【課題】建具用錠前のシリンダ錠の鍵穴に差し込み、解錠操作しても、把手とキー本体との接合部分が破損しない。【解決手段】把手と、該把手の先端部に固定支軸を介して回転可能に設けられかつ使用時に建具用錠前のシリンダ錠の鍵穴に差し込まれるキー本体とから成る携帯型キーに於いて、固定支軸にキー本体飛び出し兼操作ボタン復帰用のバネ部材を設け、上端部が把手の貫通孔に嵌合する操作ボタンをバネ部材に嵌合し、また操作ボタンと共働する支持筒をキー本体の筒状基端部に嵌挿し、この筒状基端部と支持筒に端部がそれぞれ連結するキー本体中立位置用の保持バネ部材を支持筒に巻装し、キー本体の突出時、該キー本体はバネ部材のバネ力により把手の先端面と略直交する使用位置まで回転し、該把手を回して操作する時に、保持バネ部材の保持係数の設定トルク値に対して、固定支軸や支持筒と筒状基端部の接合部分に該設定トルク値を超える荷重が加わると、キー本体は、保持バネ部材のバネ力に抗して傾倒すること。【選択図】図６
2014190017.tif 000002
【特許請求の範囲】
【請求項１】
把手と、該把手の先端部に固定支軸を介して回転可能に設けられかつ使用時に建具用錠前のシリンダ錠の鍵穴に差し込まれるキー本体とから成る携帯型キーに於いて、前記固定支軸にキー本体飛び出し兼操作ボタン復帰用のバネ部材を設け、上端部が前記固定支軸と同軸上に位置する前記把手の貫通孔に嵌合する前記操作ボタンを前記バネ部材に嵌合し、また、前記操作ボタンと共働する支持筒を前記キー本体の筒状基端部に嵌挿し、この筒状基端部と前記支持筒に端部がそれぞれ連結するキー本体中立位置用の保持バネ部材を前記支持筒に巻装し、前記キー本体の突出時、該キー本体は前記バネ部材のバネ力により前記把手の先端面と略直交する使用位置まで回転し、該把手を回して操作する時に、前記保持バネ部材の保持係数の設定トルク値に対して、前記固定支軸や支持筒と前記筒状基端部の接合部分に該設定トルク値を超える荷重が加わると、前記キー本体は、前記保持バネ部材のバネ力に抗して傾倒することを特徴とする携帯型キー。
【請求項２】
請求項１に於いて、支持筒は、筒状基端部の一端面と対向するフランジ部分と、該フランジ部分に連設すると共に前記筒状基端部に嵌挿する操作ボタン用案内筒部分とから成り、キー本体中立位置用の保持バネ部材は、前記支持筒と前記キー本体が一緒に共働するようにその一端部は前記筒状基端部の一端面に取付けられ、他端部は前記フランジ部分に取付けられていることを特徴とする携帯型キー。
【請求項３】
請求項１に於いて、固定支軸にストッパーが設けられ、操作ボタンがプッシュにより把手の被係合部分から開放されてバネ部材のバネ力により使用位置まで回転した時、該操作ボタン及び支持筒は、前記ストッパーによって直接或いは間接的にそれ以上の回転が阻止されることを特徴とする携帯型キー。
【請求項４】
把手と、該把手の先端部に固定支軸を介して回転可能に設けられかつ使用時に建具用錠前のシリンダ錠の鍵穴に差し込まれるキー本体とから成る携帯型キーに於いて、前記固定支軸にキー本体飛び出し兼操作ボタン復帰用のバネ部材を設け、上端部が前記固定支軸と同軸上に位置する前記把手の貫通孔に嵌合する前記操作ボタンを前記バネ部材に嵌合し、また、前記操作ボタンと共働する支持筒を前記キー本体の筒状基端部に嵌挿し、このキー本体の筒状基端部と前記支持筒に常態では極性により互い吸着する磁性体をそれぞれ固定的に設け、前記キー本体の突出時、該キー本体は前記バネ部材のバネ力により前記把手の先端面と略直交する使用位置まで回転し、該把手を回して操作する時に、前記磁性体同志の吸着力に対して、前記固定支軸や支持筒と前記筒状基端部の接合部分に該吸着力を超える荷重が加わると、前記キー本体は、前記磁性体同志が離れることにより傾倒することを特徴とする携帯型キー。
【請求項５】
請求項１に於いて、支持筒は、筒状基端部の一端面と対向するフランジ部分と、該フランジ部分に連設すると共に前記筒状基端部に嵌挿する操作ボタン用案内筒部分とから成り、磁性体は前記支持筒と前記キー本体が一緒に共働するように前記フランジ部分の内面と、この内面に対面する前記筒状基端部の一端面に設けられていることを特徴とする携帯型キー。
【発明の詳細な説明】
【技術分野】
【０００１】
本発明は、建物の扉の錠前の施・解錠に使用することができる携帯型キーに関する。
【背景技術】
【０００２】
特許文献１乃至特許文献３は、携帯型キーに関するものである。この種の携帯型キーは、合成樹脂材で成形された扁平状のキーヘッドと、このキーヘッドに一体的に取付けられた金属製のキーブレードとから成る。そして、使用時、前記キーブレードは、キーヘッドの側壁部に形成された凹所状収納部から引き出され、或いは付勢バネを含む飛び出し機構によって、凹所状収納部から飛び出し、使用位置まで突出する。
【０００３】
なお、特許文献如何によっては、上記キーブレードは、キーケースの収納部から使用位置までそのままスライドさせて引き出す構造のものがある。いずれにしても、キーブレードは、錠前の鍵穴に差し込む使用時に、キーヘッドの先端部の先端面と直交するように、コンパクト型キーヘッドの長手方向に突出し、この突出した位置を「中立位置（使用位置）」とする。
【０００４】
しかしながら、特許文献１乃至特許文献３のメカニカルキーは、日常的に使用するメカニカルキーではないので、例えば建具の玄関ドアに設けられた錠前用の鍵穴に使用するには不向きであった。  
【０００５】
何故ならば、これら公知のメカニカルキーは、使用時は、把手を介してキーブレードに過度の荷重がかかった場合に、荷重を逃がす工夫が施されていないからである。
建具としてのドア用錠前は、色々にものが存在するが、中には、機械的にも電気的にも解錠可能な「電気錠」が存在する。そして、電気錠も種々の型式のものが存在するが、メカニカルキーで電気錠を解錠する際、デッドボルトを押し戻すバネ部材のバネ力が常に作用しているものもある。
【０００６】
付言すると、携帯型キーが、もっぱら車両のエンジンを切り換えるために使用されるのであれば問題はないが、これと比較してデッドボルトを施錠方向に付勢するバネ力が強い建具用錠前に使用するためには、携帯型キーの「中立位置（使用位置）」を保持しながら、把手を介してキーブレードに掛かる過度の荷重を逃がしてやることが望まれる。それは、大きな操作力が把手を介してキーブレードに加わった時、例えばキーの基端部の嵌合内周面（接合面）と把手の内面に形成された筒状支軸の外周面（接合面）や、合成樹脂材に成形された把手の先端部のキーが接触する先端縁が破損し、或いは破損する恐れがあるからである。そこで、このような問題点を解決するために本発明が出現した。
【０００７】
なお、特許文献４乃至特許文献６は、「ポップアップ式携帯キー」に関するもので、例えば特許文献６には、把手を構成するベース体（下方ケース）２９の先端部に割溝を有する筒状の支軸２７ｂを形成し、該筒状支軸内にコイルバネ４２と操作ボタン４１を組み込むと共に、該筒状支軸にキーの基端部（ヘッド部）１６の支持孔（嵌合孔）４８を外嵌合し、さらに、前記支持孔４８にキー飛び出し用のねじりばね５０を組み込み、キーを支持する挟持部材２８をカバー３０側に設ける事項が記載されている（符号は特許文献６のもの）。
【先行技術文献】
【特許文献】
【０００８】
【特許文献１】特開２００６−２４９８７５
【特許文献２】特開２００８−７５４９
【特許文献３】特開２００９−９５６８３
【特許文献４】特許第３８８６６９２号
【特許文献５】特表２０１２−５０１３９２
【特許文献６】特許第４６７３７７６号
【発明の概要】
【発明が解決しようとする課題】
【０００９】
本願発明の所期の目的は、建具用錠前のシリンダ錠の鍵穴に差し込み、解錠操作しても、把手とキー本体との接合部分（例えば把手の固定支軸や支持筒とキー本体の筒状基端部の接合部分）が破損しない携帯型キーを提供することである。付言すると、キー本体の突出時、中立位置で限界を超える荷重が加わると、キー本体が把手の中立位置から傾倒することである。第２の目的は、組み合わが容易であること、把手の先端部のスペースを有効的に活用すること、構成する部品点数を少なくすること、キー本体をシンプル化すること等の利点を得ることである。第３の目的は、操作ボタンを操作すると、キー本体が把手から外方向へ飛び出すようにし、操作性の向上を図ることである。
【課題を解決するための手段】
【００１０】
本発明の携帯型キーは、把手と、該把手の先端部に固定支軸を介して回転可能に設けられかつ使用時に建具用錠前のシリンダ錠の鍵穴に差し込まれるキー本体とから成る携帯型キーに於いて、前記固定支軸にキー本体飛び出し兼操作ボタン復帰用のバネ部材を設け、上端部が前記固定支軸と同軸上に位置する前記把手の貫通孔に嵌合する前記操作ボタンを前記バネ部材に嵌合し、また、前記操作ボタンと共働する支持筒を前記キー本体の筒状基端部に嵌挿し、この筒状基端部と前記支持筒に端部がそれぞれ連結するキー本体中立位置用の保持バネ部材を前記支持筒に巻装し、前記キー本体の突出時、該キー本体は前記バネ部材のバネ力により前記把手の先端面と略直交する使用位置まで回転し、該把手を回して操作する時に、前記保持バネ部材の保持係数の設定トルク値に対して、前記固定支軸や支持筒１１と前記筒状基端部の接合部分に該設定トルク値を超える荷重が加わると、前記キー本体は、前記保持バネ部材のバネ力に抗して傾倒することを特徴とする。
【００１１】
また本発明の携帯型キーは、把手と、該把手の先端部に固定支軸を介して回転可能に設けられかつ使用時に建具用錠前のシリンダ錠の鍵穴に差し込まれるキー本体とから成る携帯型キーに於いて、前記固定支軸にキー本体飛び出し兼操作ボタン復帰用のバネ部材を設け、上端部が前記固定支軸と同軸上に位置する前記把手の貫通孔に嵌合する前記操作ボタンを前記バネ部材に嵌合し、また、前記操作ボタンと共働する支持筒を前記キー本体の筒状基端部に嵌挿し、このキー本体の筒状基端部と前記支持筒に常態では極性により互い吸着する磁性体をそれぞれ固定的に設け、前記キー本体の突出時、該キー本体は前記バネ部材のバネ力により前記把手の先端面と略直交する使用位置まで回転し、該把手を回して操作する時に、前記磁性体同志の吸着力に対して、前記固定支軸や支持筒１１と前記筒状基端部の接合部分に該吸着力を超える荷重が加わると、前記キー本体は、前記磁性体同志が離れることにより傾倒することを特徴とする。
【００１２】
なお、ここで把手の先端面と略直交する使用位置の「略」とは、おおよその意味であり、例えば多少の、＋αの回転角を加味した場合も含まれる。
【発明の効果】
【００１３】
（ａ）請求項１及び請求項４に記載の発明は、建具用錠前のシリンダ錠の鍵穴に差し込み、解錠操作しても、把手とキー本体との接合部分が破損しない。付言すると、キー本体に掛かる過度の荷重に対して、固定軸に軸支されているキー本体を、例えば左右方向にそれぞれ傾倒させることができる。
（ｂ）キー本体を軸支する一軸を中心にして構成部材を容易に組み合わせることができる。また一軸を中心として各部材を設けたので、把手の先端部のスペースを有効的に活用することができる。また、支持筒とキー本体の筒状基端部とを連結する手段が、保持バネ部材又は磁性体なので、構成部品を少なくすることができる。さらに、キー本体をシンプル化することができる。
（ｃ）請求項２、請求項３及び請求項５に記載の発明は、前記（ａ）、（ｂ）の効果を確実に得ることができる。
【図面の簡単な説明】
【００１４】
図１乃至図１５は本発明の第１実施形態を示す各説明図。図１６乃至図１９は本発明の第２実施形態を示す各説明図
【図１】携帯型キーを構成するキー本体が使用（中立）位置まで回転した状態の斜視図。
【図２】キー本体が収納位置に収まっている状態の右側面図。
【図３】図２に於いて、携帯型把手の先端部側から見た説明図。
【図４】図１の４−４線概略断面説明図（要部の拡大概略断面図も含む）。
【図５】図１の５−５線概略断面説明図（要部の拡大概略断面図も含む）。
【図６】主要部の分解斜視図。
【図７】要部（バネ部材、操作ボタン等）の斜視図。
【図８】要部（操作ボタン、キー本体の筒状基端部、保持バネ部材、支持筒）の斜視図。
【図９】要部（キー本体の筒状基端部、保持バネ部材、支持筒）の平面視からの分解状態の概略説明図（各部材を重ねた概略図も含む）。
【図１０】要部の平面視からの概略説明図（中立位置からの左右方向の揺れ状態を示す）。
【図１１】キー本体の収納位置の説明図。
【図１２】キー本体が使用位置まで回転した状態の説明図。
【図１３】保持力が左側に解除された説明図。
【図１４】保持力が右側に解除された説明図。
【図１５】建物の扉の錠前の施・解錠に使用する説明図。
【図１６】第２実施形態の図６と同様の分解斜視図。
【図１７】図９と同様の概略説明図（各部材を重ねた概略図も含む）。
【図１８】吸着力が左側に解除された説明図。
【図１９】吸着力が右側に解除された説明図。
【発明を実施するための最良の形態】
【００１５】
図１乃至図１５を参照にして、第１実施形態の携帯型キーＸを説明する。図１は携帯型キーＸを構成するキー本体２が使用（中立）位置まで回転した状態の斜視図、図２はキー本体２が収納位置に収まっている状態の右側面図、図３は、図２に於いて、携帯型把手１の先端部側から見た説明図である。
【００１６】
ここで図１を参照にして、各部分を簡単に説明する。１は携帯型把手（以下、「把手」という。）で、１ａはその先端部、１ｂはその後端部である。２はキー本体で、このキー本体２は、筒状基端部３ａ及び該筒状基端部３ａに連設形成された角型嵌合支持部分３ｂを有するキーホルダー３と、前記嵌合支持部分３ｂに差込み固定された長板状のブレード部分４とから成る。
【００１７】
実施形態のキー本体２は、例えば図６で示すようにキーホルダー３と、該キーホルダー３に固着具８を介して固定されるブレード部分４とから成るシンプルな形態である。
キー本体２は、後述するように前記筒状基端部３ａに組み込まれる支持筒１１、該支持筒１１及び把手１の貫通孔１７に嵌合する操作ボタン６を介して固定軸５に軸支され、前記操作ボタン６と固定軸５の間にはバネ部材１０が介在している。
【００１８】
付言すると、５は把手１の先端部１ａの偏心部位にその座板部分５ａが固定された一つの固定支軸（軸受部分）、６は把手１の貫通孔１７乃至キーホルダー３の筒状基端部３ａに組み込まれたキャップ状の操作ボタン、７は把手１の側壁に形成されたキー用収納部である。
【００１９】
ここで、本発明の主要部を説明する。携帯型キーＸは、把手１と、該把手１の先端部１ａの一軸としての固定支軸５を介して回転可能に設けられ、かつ使用時に建具用錠前のシリンダ錠４０の鍵穴４０ａ（図１５参照）に差し込まれるキー本体２とから成る。
【００２０】
しかして、前記固定支軸５にキー飛び出し兼操作ボタン復帰用のバネ部材１０を設け、その上端部が前記固定支軸５と同軸上に位置する把手１の円形貫通孔１７に嵌合するキャップ状の操作ボタン６を前記バネ部材１０に嵌合し、また、前記操作ボタン６と共働する支持筒１１をキー本体２の筒状基端部３ａに嵌挿し、このキー本体２の筒状基端部３ａと支持筒１１に両端部がそれぞれ連結するキー本体中立位置用の保持バネ部材９を支持筒１１に巻装し、キー本体２の突出時、該キー本体２は前記バネ部材１０のバネ力により前記把手１の先端面１ａと略直交する使用位置まで回転し、該把手１を回して操作する時に、前記保持バネ部材９の保持係数の設定トルク値に対して、前記固定支軸５や支持筒１１と前記筒状基端部３ａの接合部分に該設定トルク値を超える荷重が加わると、前記キー本体２は、前記保持バネ部材９のバネ力に抗して左右いずれかの方向に傾倒する。
【００２１】
図４乃至図９は本発明の主要部を示す各概略説明であるが、特に、図８は操作ボタン６、キー本体２の筒状基端部３ａ、保持バネ部材９、支持筒１１の要部を示す斜視図である。また図４及び図５はそれぞれ要部の拡大概略断面図を含んでいる。
【００２２】
例えば図６、図７を参照にすると、固定支軸５は、把手１のベース体１２の上面に固定された座板部分５ａと、該座板部分５ａの中心部に位置する短柱状軸部分５ｂとから成り、前記座板部分５ａの前記短柱状軸部分５ｂの同心円上には小突起状ストッパー５ｃが設けられている。前記小突起状ストッパー５ｃは、バネ部材１０のバネ力により把手１の先端面１ａと略直交する使用位置まで回転したキー本体２を中立位置で確実に停止させるためのものである。また前記バネ部材１０は「ねじりばね」が採用され、図４及び図５で示すようにその下端部側が短柱状軸部分５ｂに巻装され、下端部寄りの部位から上端部側がキャップ状の操作ボタン６に内装されている。
【００２３】
ところで、この種の携帯型キーは、普通一般に、鍵（キー本体）が、固定支軸（形態を問わず軸受部分）を介して把手（ケース）の側壁の凹所状収納部から回転して把手の先端面と直交する位置まで付勢手段の付勢力により飛び出し、鍵の基端部或いは把手の先端部及び支軸に形成されたオス・メスの係止手段によって左右に振れないように係止されている（例えば特開昭６３−１１０３７７号の図１、特表２０１２−５０１３９２号の図１）。
【００２４】
そこで、本実施形態でも、前述したように、一軸としての固定軸５にバネ部材１０の一例としてのねじりばねを配設し、このねじりばね１０は、操作ボタンを初期位置に復帰させる機能とキー本体２を把手１のキー収納部７から飛び出させる機能の両方を兼用し、その上端部は操作ボタン６の係止溝６ａに係止され、下端部はベース１２の固定支軸５或いはストッパー５ｃに適宜に挿入固定されている。
【００２５】
したがって、使用時、操作ボタン６をねじりばね１０のバネ力に抗してベース体１２の方向に押し込むと、把手１の蓋体１３の被係止部分１７ａから係合状態を解かれた該操作ボタン６は、前記ねじりばね１０のバネ力により外方向へ回転し、それと同時に支持筒１１及び保持バネ部材９を介してキーホルダー３も一緒に共働回転する（キー本体２が自動的に飛び出す）。
【００２６】
このようにキー本体（鍵）２が飛び出す携帯型キーＸは、「ポップアップ式キー」とも称されている。実施形態の操作ボタン６は、内部の係止部分６ａ、外部の縦方向の係合部分６ｂ、突起状の当り部分６ｃ等を有し、複数の機能を発揮する。
【００２７】
付言すると、この種の携帯型キーは、普通一般に、筒状支軸或いは鍵の基端部に形成した軸受リングに嵌め込んで、キャップ状の操作ボタンを軸方向に押し込むと（例えば特開昭６３−１１０３７７号）、鍵側の係止部分から操作ボタン側の係合突起が外れ、その結果、筒状支軸等に組み込まれた圧縮バネの復帰力により、鍵がケースの収納部から飛び出す構造となっているが、本実施形態も、図４、図５、図６、図７等で示すように、固定支軸５と操作ボタン６に操作ボタン兼用キー用のバネ部材１０が設けられている。
【００２８】
したがって、該操作ボタン６をバネ部材１０のバネ力に抗して押し込むと、操作ボタン６の外の係合部分６ｂが蓋体１３の被係合部分１７ａから外れるので、それ以後、ねじりバネ力によって、キー本体２は把手１の凹所状収納部７から飛び出す。
次に、本実施形態では、バネ部材（ねじりばね）１０の他に「もう一つのバネ部材」を一軸としての固定軸５に対して支持筒１１を介して配設している。それはキー本体４を常に中立位置に保持する保持バネ部材９である。
【００２９】
この保持バネ部材９は、支持筒１１とキー本体２の筒状基端部３ａとを連結する機能を有する。すなわち、例えば図８で示すように、支持筒１１は、筒状基端部３ａの一端面と対向するフランジ部分１１ａと、該フランジ部分１１ａに連設すると共に前記筒状基端部３ａに嵌挿する操作ボタン用案内筒部分１１ｂとから成り、キー本体中立位置用の保持バネ部材９は、支持筒１１とキー本体２が一緒に共働するようにその一端部（下端部）９ａは前記筒状基端部の一端面に取付けられ、一方、他端部（上端部）９ｂは前記フランジ部分に取付けられている。
【００３０】
しかして、キー本体４の突出時、該キー本体４は、バネ部材１０のバネ力により、固定支持５を中心にして操作ボタン６及び支持筒１１と共にキー収納部７から使用位置まで飛び出すように回転する。そして、実施形態では、キー本体４が使用位置まで回転した時、該操作ボタン６及び支持筒１１は、前記ストッパー５ｃによって直接或いは間接的にそれ以上の回転が阻止される。
【００３１】
そこで、キー本体４を鍵穴４０ａに差込んで、該把手１を回す操作時に、保持バネ部材９の保持係数の設定トルク値に対して、固定支軸５或いは支持筒１１とキーホルダー３の接合部分に該設定トルク値を超える荷重が加わると、キー本体４は保持バネ部材９のバネ力に抗して左右いずれかの方向に傾倒する（図１０乃至図１４参照）。
【００３２】
ここで、図１１乃至図１４を参照にして、さらに本発明の主要部に関連する事項について説明する。図１１はキー本体２の収納位置の説明図である。キー本体２が把手１のキー収納部７に収納されると、例えば操作ボタン６の外周面に縦方向に突設された単数又は複数の係合部分６ｂと蓋体１３の円形貫通孔１７の周壁に形成された被係合部分（例えば拘束溝）１７ａとの係合構造により、キー本体２は自由に飛び出ないように凹所状収納部７にセットされる。
【００３３】
ここでは、説明の便宜上、図１１を正面図とするが、この図１１に於いて、キー本体２は、全てベース体１２内に位置する。図面右側に見えるのが固定支軸５である。これに対して、図１２はキー本体２が使用位置まで回転した状態の説明図である。また、図１０は要部の平面視からの概略説明図で、中立位置から左右方向のいずれかに揺れた状態を示す。これらの図から明らかなように、キー本体４の突出時、該キー本体４は把手１の先端面と直交する使用位置まで回転し、該把手１を回す操作時に、保持バネ部材９の保持係数の設定トルク値に対して、例えば固定支軸５とキー本体４の接合部分に該設定トルク値を超える荷重が加わると、キー本体４は保持バネ部材９のバネ力に抗して左右いずれかの方向に傾倒する。このように、本実施形態では、キー本体２は中立位置から左右いずれの方向へ傾倒しても、一つの保持バネ部材９のバネ力によって中立位置へと戻る。
【００３４】
図１５で示すように、本実施形態の携帯型キーＸは、主に、建具としてのドア３８の自由端部３８ａに設けられた錠前３９のシリンダ錠４０の鍵穴４０ａにメカニカルキーとしてのブレード部分４を差し込む際に使用される。その際、大きな操作力が把手１を介してキー本体２に加わった時、キーの基端部、本実施形態では、キーホルダー３の筒状基端部３ａの嵌合内周面（接合面）や支持筒１１と把手１の固定支軸５の外周面（接合面）や、合成樹脂材で成形された把手１の先端部１ａのキーホルダー３の筒状基端部３ａの外面が接触する先端縁が破損し、或いは破損する恐れがある。そこで、このような問題点を解決するために本発明が出現した。
【００３５】
その他の事項を説明する。例えば図６で示すように、把手１は、例えばベース体（下ケース）１２と、図示しない固定手段（例えば単数又は複数個の固着具）を介して該ベース体１２に重なるように合体する蓋体（上ケース）１３とから成る。把手１は、単なる扁平型基盤であっても良く、又はドア３８側の錠前３９の錠制御装置に対する電子認証用の交換手段を含む電子回路（トランスポーター）を内蔵した扁平状のケースであっても良い。
【００３６】
本実施形態では、図示しないトランスポータを内蔵するために、ベース体１２の内面に形成された突壁状周壁１２ａで囲まれた凹所１４に電子回路が収納される。そのために、固定支軸５をベース体１２の先端部内面の偏心位置に突出形成している。
【００３７】
付言すると、前記固定支軸５は、把手１（ベース体１２）の中心を通る中心線に対して偏心する右側の位置に設けられている。また５ｃは、前述したように把手１の固定支軸５の直ぐ近傍に設けられ、かつバネ部材１０の端部を固定するバネ端支持部或いはストッパー部である。このバネ端支持部５ｃは、図６で示す操作ボタン６の下端部に水平方向に突設した小突起状の当り部分６ｃを受け止めることが可能である。ベース体１２のその余の細部の説明は省略する。
【００３８】
小判形状の蓋体（上ケース）１３の先端部には、操作ボタン６用の円形貫通孔１７が形成され、該円形貫通孔１７は固定支軸５と同軸上に形成されている。また図６にはキー本体２の分解状態が示されている。本実施形態のキー本体２は、把手１に対して、交換可能な鍵部品である。キー本体２は、組合せの際、ベース体１２の固定支軸５の円形座板部分５ａに、その筒状基端部３ａの嵌合孔２５の下端部を外嵌合する。キー本体２を固定支軸５に装着すると、キー本体２は固定支軸５を中心として軸周りに回転可能と成る。キー本体２の筒状基端部３ａは保持バネ部材１０を介して支持筒１１に連結されているが、保持バネ部材１０は一例であって、任意に設計変更することができる。支持筒１１は内周壁に不番の縦係合溝が形成され、該縦係合溝に操作ボタン６の縦係合部分６ｂが係合する。したがって、支持筒１１は操作ボタン６と共働する。
【実施例】
【００３９】
本実施形態は、特許文献４乃至特許文献６に記載の如く「ポップアップ式携帯キー」であるが、本実施形態も、望ましくは、ポップアップ式携帯キーである。また、ドア３８側の錠前３９の錠制御装置に対する電子認証用の交換手段を含む電子回路（トランスポーター）を内蔵するか否かを問わず適用することができる。
【００４０】
次に図１６乃至図１９を参照にして、第２実施形態を説明する。なお、第２実施形態の説明に当って、第１実施形態と同一の部分には同一又は同様の符号を付して重複する説明を割愛する。
【００４１】
この第２実施形態に於いて、前記第１実施形態と主に異なる点は、保持バネ部材９に代えて磁性体を用いたことである。
【００４２】
すなわち、支持筒１１は、筒状基端部３ａの一端面と対向するフランジ部分１１ａと、該フランジ部分に連設すると共に前記筒状基端部３ａに嵌挿する操作ボタン用案内筒部分１１ｂとから成る点は同一であるが、この第２実施形態では、吸着力を超える荷重が加わらない常態では支持筒とキー本体が一緒に共働するようにフランジ部分１１ａの内面に第１磁性体５０を固定的に設け、一方、前記第１磁性体５０の極性に対応して吸着する第２磁性体５１を前記内面に対面する前記筒状基端部３ａの一端面に固定的に設けている。
【００４３】
したがって、この第２実施形態は、キー本体２の突出時、該キー本体２はバネ部材１０のバネ力により把手１の先端面１ａと略直交する使用位置まで回転し、該把手１を回して操作する時に、磁性体同志５０、５１の吸着力に対して、固定支軸５や支持筒１１とキー本体２の筒状基端部３ａの接合部分に該吸着力を超える荷重が加わると、キー本体２は、前記磁性体同志５０、５１が離れることにより傾倒する。このように構成しても、本発明の所期の目的を達成することができる。
【産業上の利用可能性】
【００４４】
本発明は、建物の扉の錠前を施・解錠する際に使用することができる。
【符号の説明】
【００４５】
Ｘ…携帯型キー本体、２…携帯型把手、１ａ先端部、２…キー本体、３…キーホルダー、３ａ…筒状基端部、３ｂ…角型嵌合支持部分、４…ブレード部分、５…固定支軸、６…操作ボタン、９…保持バネ部材、１０…バネ部材、１１…支持筒、１２…ベース体、１３…蓋体、４０a…鍵穴、５０、５１…磁性体。
【図１】
2014190017.tif 000003
【図２】
2014190017.tif 000004
【図３】
2014190017.tif 000005
【図４】
2014190017.tif 000006
【図５】
2014190017.tif 000007
【図６】
2014190017.tif 000008
【図７】
2014190017.tif 000009
【図８】
2014190017.tif 000010
【図９】
2014190017.tif 000011
【図１０】
2014190017.tif 000012
【図１１】
2014190017.tif 000013
【図１２】
2014190017.tif 000014
【図１３】
2014190017.tif 000015
【図１４】
2014190017.tif 000016
【図１５】
2014190017.tif 000017
【図１６】
2014190017.tif 000018
【図１７】
2014190017.tif 000019
【図１８】
2014190017.tif 000020
【図１９】
2014190017.tif 000021